(57)【要約】【課題】蓄電池を宅内の床上に設置でき、蓄電池への被水を防ぐことが可能な蓄電池の設置構造を提供することを目的とする。【解決手段】住宅等の建物２１内に蓄電池１１（１２）が設置されてなる蓄電池１１（１２）の設置構造であって、蓄電池１１（１２）は、上下複数段に積載可能に構成された蓄電池バッテリー１１ｂ（１２ｂ）を備えており、建物２１内には、床４３ａ上であって、かつ建物２１内の居室２１ａと同等の環境に設定された蓄電池設置用の宅内設置部４３が設けられており、宅内設置部４３は、蓄電池バッテリー１１ｂ（１２ｂ）を上下方向に複数段積載可能な高さで、かつ蓄電池１１（１２）を複数列並設可能な面積に設定されており、宅内設置部４３の外壁４３ｃには、蓄電池１１（１２）から発生するガスを検知するガスセンサー４４ａに接続された換気装置４４が設けられている。【選択図】図１
2014189945.tif 000002
【特許請求の範囲】
【請求項１】
住宅等の建物内に蓄電池が設置されてなる蓄電池の設置構造であって、
前記蓄電池は、上下複数段に積載可能に構成された蓄電池バッテリーを備えており、
前記建物内には、床上であって、かつ建物内の居室と同等の環境に設定された前記蓄電池設置用の宅内設置部が設けられており、
前記宅内設置部は、前記蓄電池バッテリーを上下方向に複数段積載可能な高さで、かつ前記蓄電池を複数列並設可能な面積に設定されており、
前記宅内設置部の外壁には、前記蓄電池から発生するガスを検知するガスセンサーに接続された換気装置が設けられていることを特徴とする蓄電池の設置構造。
【請求項２】
請求項１に記載の蓄電池の設置構造において、
前記建物内の床と、当該床の一部の上方に設けられた中間床との間が、前記建物内に大型収納区画を形成する蔵型収納室とされており、
前記蔵型収納室は、前記居室と隣接配置され、前記宅内設置部を含んで構成されていることを特徴とする蓄電池の設置構造。
【請求項３】
請求項２に記載の蓄電池の設置構造において、
前記蔵型収納室は、前記建物の上階に配置されていることを特徴とする蓄電池の設置構造。
【請求項４】
請求項１〜３のいずれか一項に記載の蓄電池の設置構造において、
前記蓄電池は、
上下複数段に積載された前記蓄電池バッテリーと、
前記蓄電池バッテリーと宅内の分電盤との間に接続され、直流電力と交流電力との双方向の変換を行う双方向インバータと、を有しており、
前記双方向インバータは、前記蓄電池バッテリーと上下に積載可能に構成されていることを特徴とする蓄電池の設置構造。
【発明の詳細な説明】
【技術分野】
【０００１】
本発明は、住宅等の建物における蓄電池の設置構造に関する。
【背景技術】
【０００２】
従来の太陽光発電システムは、図５に示すように、太陽光を直流電力に変換する太陽電池モジュール１と、その直流電力を交流電力に変換するパワーコンディショナー２と、太陽電池モジュール１とパワーコンディショナー２とを接続する接続箱３とからなり、パワーコンディショナー２から出力された交流電力は分電盤４やコンセントを通じて各種電気機器に供給される。また、電力会社からの引込線５側と系統連系させることにより、太陽電池の発電電力に対し交流負荷が少なく電力過剰となった場合には引込線５を通じて電力会社へ売電を行う。
また、太陽電池モジュール１で発電した発電量は宅内に設置された表示装置６によって確認することができる。
【０００３】
従来の太陽光発電システムでは、昼間の光熱費を少なくするため、太陽電池モジュール１から直接的に宅内の各種電気機器に電力が供給されているが、夜間は太陽電池モジュール１の発電がストップしてしまうのはもちろんのこと、急な曇天等により発電がストップし、電力供給が行われない。そこで、近年では、発電した電力を蓄電池に充電し、充電した電力を適宜利用することが行われている（例えば、特許文献１，２参照）。
【先行技術文献】
【特許文献】
【０００４】
【特許文献１】特開２００８−１４８４４２号公報
【特許文献２】特開２０１１−１７２３３４号公報
【発明の概要】
【発明が解決しようとする課題】
【０００５】
ところで、上述のような蓄電池は比較的大型であるため、屋外や床下空間を利用して住宅に設置する場合が多い。ところが、豪雨や台風等により床下浸水が引き起こされた場合に、屋外や床下空間に設置された蓄電池が被水してしまう場合があった。
そこで、蓄電池を宅内の床上に設置したいという要望があるが、宅内の床上に比較的大型の設置スペースを確保しなければならないし、宅内に蓄電池を設置する場合の発生ガスの対策を考慮しなければならないなどの問題があった。
【０００６】
本発明の課題は、蓄電池を宅内の床上に設置でき、蓄電池への被水を防ぐことが可能な蓄電池の設置構造を提供することを目的とする。
【課題を解決するための手段】
【０００７】
請求項１に記載の発明は、例えば図１〜図４に示すように、住宅等の建物２１内に蓄電池１１（１２）が設置されてなる蓄電池１１（１２）の設置構造であって、
前記蓄電池１１（１２）は、上下複数段に積載可能に構成された蓄電池バッテリー１１ｂ（１２ｂ）を備えており、
前記建物２１内には、床４３ａ上であって、かつ建物２１内の居室２１ａと同等の環境に設定された前記蓄電池設置用の宅内設置部４３が設けられており、
前記宅内設置部４３は、前記蓄電池バッテリー１１ｂ（１２ｂ）を上下方向に複数段積載可能な高さで、かつ前記蓄電池１１（１２）を複数列並設可能な面積に設定されており、
前記宅内設置部４３の外壁４３ｃには、前記蓄電池１１（１２）から発生するガスを検知するガスセンサー４４ａに接続された換気装置４４が設けられていることを特徴とする。
【０００８】
請求項１に記載の発明によれば、前記宅内設置部４３が、前記床４３ａ上に設けられているので、豪雨や台風等による床下浸水が引き起こされた場合であっても、前記蓄電池１１（１２）が被水することを防ぐことができる。
また、前記宅内設置部４３は、前記居室２１ａと同等の環境に設定されているので、例えば湿度の高い洗面所や、屋根裏のような夏場の温度上昇可能性のある場所に比して良好な環境の中に前記蓄電池１１（１２）を設置することができる。これによって、設置環境に起因するトラブルが生じにくくなる。
また、前記蓄電池１１（１２）は、上下複数段に積載可能に構成された蓄電池バッテリー１１ｂ（１２ｂ）を備えるので、当該蓄電池バッテリー１１ｂ（１２ｂ）を横に並べて設置する場合に比して、省スペース化を図ることができる。さらに、前記宅内設置部４３も、このような蓄電池１１（１２）に対応した大きさに設定されているので、前記宅内設置部４３を建物２１内に設置する場合にも、省スペース化を図ることができる。
また、前記宅内設置部４３の外壁４３ｃには、前記蓄電池１１（１２）から発生するガスを検知するガスセンサー４４ａに接続された換気装置４４が設けられているので、万が一、前記蓄電池１１（１２）から発生ガスが生じたとしても、前記ガスセンサー４４ａで検知し、前記換気装置４４によって発生ガスを拡散できるので、前記蓄電池１１（１２）を前記建物２１内に安全に設置できる。
【０００９】
請求項２に記載の発明は、請求項１に記載の蓄電池１１（１２）の設置構造において、
前記建物２１内の床４３ａと、当該床４３ａの一部の上方に設けられた中間床４３ｂとの間が、前記建物２１内に大型収納区画を形成する蔵型収納室２１ｂとされており、
前記蔵型収納室２１ｂは、前記居室２１ａと隣接配置され、前記宅内設置部４３を含んで構成されていることを特徴とする。
【００１０】
請求項２に記載の発明によれば、前記蔵型収納室２１ｂを利用して前記宅内設置部４３を配置できるので、前記居室２１ａ等の建物２１内の各部屋のスペースを狭める必要がなく、省スペース化を図ることができる。
【００１１】
請求項３に記載の発明は、請求項２に記載の蓄電池１１（１２）の設置構造において、
前記蔵型収納室２１ｂは、前記建物２１の上階に配置されていることを特徴とする。
【００１２】
請求項３に記載の発明によれば、前記蔵型収納室２１ｂは、前記建物２１の上階に配置されているので、上階の蔵型収納室２１ｂ内の前記宅内設置部４３に設置される蓄電池１１（１２）は、たとえ下階の床上まで浸水があった場合であっても被水することを防ぐことができる。
【００１３】
請求項４に記載の発明は、請求項１〜３のいずれか一項に記載の蓄電池１１（１２）の設置構造において、
前記蓄電池１１（１２）は、
上下複数段に積載された前記蓄電池バッテリー１１ｂ（１２ｂ）と、
前記蓄電池バッテリー１１ｂ（１２ｂ）と宅内の分電盤２２（１３）との間に接続され、直流電力と交流電力との双方向の変換を行う双方向インバータ１１ｃと、を有しており、
前記双方向インバータ１１ｃは、前記蓄電池バッテリー１１ｂ（１２ｂ）と上下に積載可能に構成されていることを特徴とする。
【００１４】
請求項４に記載の発明によれば、前記双方向インバータ１１ｃは、前記蓄電池バッテリー１１ｂ（１２ｂ）と上下に積載可能に構成されているので、前記蓄電池バッテリー１１ｂ（１２ｂ）とともに上下に積載することで、前記双方向インバータ１１ｃ用の設置スペースを確保する必要がなくなり、建物２１内の省スペース化を図ることができる。
【発明の効果】
【００１５】
本発明によれば、宅内設置部が、床上に設けられているので、豪雨や台風等による床下浸水が引き起こされた場合であっても、蓄電池が被水することを防ぐことができる。
また、宅内設置部は、居室と同等の環境に設定されているので、例えば湿度の高い洗面所や、屋根裏のような夏場の温度上昇可能性のある場所に比して良好な環境の中に蓄電池を設置することができる。これによって、設置環境に起因するトラブルが生じにくくなる。
また、蓄電池は、上下複数段に積載可能に構成された蓄電池バッテリーを備えるので、当該蓄電池バッテリーを横に並べて設置する場合に比して、省スペース化を図ることができる。さらに、宅内設置部も、このような蓄電池に対応した大きさに設定されているので、宅内設置部を建物内に設置する場合にも、省スペース化を図ることができる。
また、宅内設置部の外壁には、蓄電池から発生するガスを検知するガスセンサーに接続された換気装置が設けられているので、万が一、蓄電池から発生ガスが生じたとしても、ガスセンサーで検知し、換気装置によって発生ガスを拡散できるので、蓄電池を建物内に安全に設置できる。
【図面の簡単な説明】
【００１６】
【図１】ホームエネルギーマネージメントシステムの概略および蓄電池の設置構造を示す図である。
【図２】電力システムの一例を示す概略図である。
【図３】（ａ），（ｂ）は蓄電池の概略設置寸法を示す斜視図であり、（ｃ）は双方向インバータの概略設置寸法を示す斜視図である。
【図４】蓄電池の構成を示す斜視図である。
【図５】従来の太陽光発電システムの一例を示す図である。
【発明を実施するための形態】
【００１７】
以下、図面を参照して本発明の実施の形態について説明する。ただし、以下に述べる実施形態には、本発明を実施するために技術的に好ましい種々の限定が付されているので、本発明の技術的範囲を以下の実施形態および図示例に限定するものではない。
【００１８】
＜ホームエネルギーマネージメントシステム＞
図１は、ホームエネルギーマネージメントシステム（ＨＥＭＳ：Home Energy Management System）２０の概略図である。ホームエネルギーマネージメントシステム２０は、住宅全体の電力等のエネルギー需給を総合的に管理するものであり、住宅に設置されている。なお、本実施の形態の住宅は、家屋そのもの（建物２１）と、建物２１が建築される敷地も含むものとする。
ホームエネルギーマネージメントシステム２０は、電気配線網、通信ネットワーク、分電盤２２および表示装置２３等を備える。電気配線網および通信ネットワークは住宅に張り巡らされ、必要な電力を供給・受給したり、必要な情報を送受信したりしている。
【００１９】
分電盤２２は、買電用電力計（順潮流用電力計）および売電用電力計（逆潮流用電力計）等の電力メーター４２ａを介して系統電源４２に接続されている。系統電源４２は、電力会社の商用配電線網（系統電力網）から供給される電源である。すなわち、分電盤２２は、電力潮流制御を行うことができ、必要に応じて余剰電力を系統電源４２へ逆潮流して、その余剰電力を系統電源４２に供給する。
【００２０】
表示装置２３は、前記分電盤２２と接続されており、系統電源や自家発電電力、蓄電電力等を管理・制御できる。また、表示装置２３は前記分電盤２２を介して接続された各種電気機器等の制御も行うことができる。
また、この表示装置２３は、エネルギー状況や各種情報が表示される表示部２３ａと、前記表示部２３ａに表示された画面や前記ホームエネルギーマネージメントシステム２０に組み込まれた各種電気機器の操作を行うための操作部２３ｂと、前記ホームエネルギーマネージメントシステム２０の各種動作を制御するための制御手段と備える。
なお、この表示装置２３は通信ネットワークを利用して、例えばスマートフォン等の情報端末と接続可能とされており、外出中でも、この情報端末上で各種操作や情報確認等を行うことができる。
また、この表示装置２３は通信ネットワークを利用して、例えば住宅関連サービスを提供する会社のサーバー４１にアクセスして、住宅関連サービスを受けることができる。例えば、地域のリアルタイムの気象情報を受信したり、表示装置２３を構成するソフトウェアのアップデートを行ったりするなど様々なサービスが挙げられる。
【００２１】
前記建物２１は、壁、床および天井等によって複数のエリア（例えば、居間、台所、食堂、浴室、玄関、便所、寝室、和室、洋室、廊下、階段室、庭、駐車場等）に区画されている。エリアの数は幾つでもよく、間取りはどのようなものであってもよい。
【００２２】
また、住宅には、停電時の宅内における重要負荷系統（図示せず）に電力を供給するための重要負荷分電盤１３が設置されている。
この重要負荷分電盤１３は、通常時においては前記分電盤２２に接続されているが、停電時には太陽電池アレイ１０および蓄電池システム１１等によって自立運転が可能となっている。
【００２３】
＜電力システム＞
以上のようなホームエネルギーマネージメントシステム２０は、電力システムを含んで構成されている。
電力システムは、図２に示すように、太陽電池アレイ１０と、前記太陽電池アレイ１０による発電電力を充電する蓄電池システム１１（１２）と、前記蓄電池システム１１（１２）に接続される宅内の前記分電盤１３（２２）と、を備えるものである。
そして、前記太陽電池アレイ１０と、前記蓄電池システム１１（１２）と、前記分電盤１３（２２）とが、前記太陽電池アレイ１０による発電電力が前記蓄電池システム１１（１２）を経由する並び順となるように直列的に接続されている。
【００２４】
（実施例１）
まず、電力システムの第１の実施例について説明する。
前記太陽電池アレイ１０は複数の太陽電池モジュールからなる。そして、この太陽電池アレイ１０は、当該太陽電池アレイ１０によって発電された電力を直流電力から交流電力へと変換するパワーコンディショナー１０ａを介して前記分電盤２２に接続されている。
また、太陽電池アレイ１０は、図１に示すように、建物２１の外（例えば、建物２１の屋根の上）に設けられている。
前記蓄電池システム１１も前記分電盤２２に接続されている。また、蓄電池システム１１は、本実施の形態においては建物２１内の床上にあり、かつ建物２１内の居室環境と同等の環境を備える宅内スペース（図示せず）に設けられている。
【００２５】
また、この蓄電池システム１１は、前記重要負荷分電盤１３に対しても接続されている。
すなわち、通常時には、太陽電池アレイ１０によって発電された直流電力がパワーコンディショナー１０ａによって宅内用電圧の交流電力に変換されて、その交流電力が前記分電盤２２に供給される。
また、停電時には、太陽電池アレイ１０によって発電された直流電力がパワーコンディショナー１０ａによって宅内用電圧の交流電力に変換されて、その交流電力が前記重要負荷分電盤１３に供給される。
【００２６】
蓄電池システム１１は、図２に示すように、前記パワーコンディショナー１０ａに接続され、交流電力を直流電力に変換するコンバータ１１ａと、前記コンバータ１１ａに接続される蓄電池本体１１ｂと、前記蓄電池本体１１ｂと前記分電盤１３との間に接続され、直流電力と交流電力との双方向の変換を行う双方向インバータ１１ｃと、を有する。
すなわち、前記太陽電池アレイ１０で発電し、前記パワーコンディショナー１０ａを介して供給される交流電力を前記コンバータ１１ａによって直流電力に変換して前記蓄電池本体１１ｂに充電することができる。
なお、前記コンバータ１１ａと前記双方向インバータ１１ｃは、前記蓄電池本体１１ｂに付属するパワーコンディショナーとして機能するものとなる。
【００２７】
前記コンバータ１１ａは、前記太陽電池アレイ１０に付属する前記パワーコンディショナー１０ａと前記蓄電池本体１１ｂとの間に設けられる。
また、前記双方向インバータ１１ｃは、前記蓄電池本体１１ｂと前記重要負荷分電盤１３との間に設けられる。
したがって、停電時には、前記太陽電池アレイ１０で発電された電力は前記重要負荷分電盤１３に供給される間に前記蓄電池本体１１ｂを経由することになる。蓄電池本体１１ｂを経由する電力は、当該蓄電池本体１１ｂに充電されてから前記重要負荷分電盤１３へと供給されるため、太陽電池アレイ１０で発電している間は、常に蓄電池本体１１ｂへの充電が行われることになる。
【００２８】
また、通常時には、前記太陽電池アレイ１０で発電された電力は前記センサー付き分電盤２２に供給され、その後、この分電盤２２から前記双方向インバータ１１ｃを介して前記蓄電池本体１１ｂへと供給できる。これによって、前記太陽電池アレイ１０で発電した電力を住宅内の各種電気機器へと供給しながら、余剰分を前記蓄電池本体１１ｂへと供給し、これを充電することができる。
また、夜間においては前記分電盤２２によって安価な深夜電力を系統電力網から受給して、この深夜電力を前記蓄電池本体１１ｂへと供給することができる。
【００２９】
なお、前記重要負荷分電盤１３は、通常時には当該重要負荷分電盤１３と前記分電盤２２とを接続し、停電時には当該重要負荷分電盤１３と前記蓄電池システム１１とを接続するためのリレー（図示せず）を備える。
すなわち、重要負荷分電盤１３は、停電時に当該リレーの切り替えが行われることによって蓄電池システム１１から電力を受給できる。
【００３０】
なお、図示はしないが、本実施例１の電力システムに備えられた分電盤２２が、系統電源４２と前記蓄電池システム１１との間に設けられ、停電時に開放されるブレーカーを有するものとしてもよい。
そして、当該ブレーカーの開放時において前記蓄電池システム１１と前記重要負荷系統とが接続されるようにしてもよい。
すなわち、本実施例１の電力システムを、太陽電池アレイ１０と、前記太陽電池アレイ１０による発電電力を充電する蓄電池システム１１と、前記蓄電池システム１１に接続される宅内の分電盤２２と、停電時における宅内の重要負荷系統と、を備え、前記太陽電池アレイ１０で発電した電力を、前記蓄電池システム１１を経由してから前記分電盤２２または前記重要負荷系統へと供給するものとし、前記分電盤２２が、系統電源４２と前記蓄電池システム１１との間に設けられ、停電時に開放されるブレーカーを有し、当該ブレーカーの開放時において前記蓄電池システム１１と前記重要負荷系統とが接続される。
【００３１】
（実施例２）
次に、電力システムの第２の実施例について説明する。
本実施例の電力システムは、前記太陽電池アレイ１０と、前記太陽電池アレイ１０による発電電力を充電する前記蓄電池システム１２と、前記蓄電池システム１２に接続される前記分電盤２２と、停電時における宅内の重要負荷系統と、を備え、前記太陽電池アレイ１０で発電した電力を、前記蓄電池システム１２を経由してから前記分電盤２２または前記重要負荷系統へと供給している。
前記分電盤２２は、系統電源４２と前記蓄電池システム１２との間に設けられ、停電時に開放されるブレーカー（図示せず）を有する。
そして、前記ブレーカーの開放時において前記蓄電池システム１２と前記重要負荷系統とが接続されている。
また、本実施例においては、前記蓄電池システム１２が前記分電盤２２に接続されている。また、この蓄電池システム１２は、前記重要負荷分電盤１３に対しても接続されている。
【００３２】
前記蓄電池システム１２は、蓄電池本体１２ｂと、当該蓄電池本体１２ｂと、前記分電盤２２および前記重要負荷系統とに接続され、直流電力と交流電力との双方向の変換を行う双方向インバータ１２ｃと、を有する。
また、前記双方向インバータ１２ｃは、前記太陽電池アレイ１０に付属するパワーコンディショナー１０ａに接続されている。
すなわち、前記太陽電池アレイ１０で発電し、前記パワーコンディショナー１０ａを介して供給される交流電力を前記双方向インバータ１２ｃによって直流電力に変換して前記蓄電池本体１２ｂに充電することができる。
なお、前記双方向インバータ１２ｃは、前記蓄電池本体１２ｂに付属するパワーコンディショナーとして機能するものとなる。
【００３３】
前記双方向インバータ１２ｃは、前記太陽電池アレイ１０に付属する前記パワーコンディショナー１０ａと前記蓄電池本体１２ｂとの間に設けられる。
また、この双方向インバータ１２ｃは、前記蓄電池本体１２ｂと、前記分電盤２２または前記重要負荷分電盤１３との間に設けられる。
すなわち、前記太陽電池アレイ１０で発電された電力が前記分電盤２２または前記重要負荷分電盤１３に供給される間には、発電電力を前記蓄電池本体１２ｂに一旦充電してから、充電休止後、前記双方向インバータ１２ｃを介して前記分電盤２２または前記重要負荷分電盤１３に供給する第１ルートと、発電電力を前記蓄電池本体１２ｂを介さずに、前記双方向インバータ１２ｃを介して前記分電盤２２または前記重要負荷分電盤１３に供給する第２ルートとが形成されることになる。
したがって、通常時、停電時の双方において、前記第１ルートと前記第２ルートを選択的に利用して発電電力の供給を行うことができる。
【００３４】
（実施例３）
次に、電力システムの第３の実施例について説明する。
本実施例においては、前記蓄電池システム１１または前記蓄電池システム１２が、電気で駆動する車両１４に搭載された車両用蓄電池１４ａと、絶縁トランス（図示せず）を介して接続されている。
なお、前記蓄電池システム１１または前記蓄電池システム１２と、前記車両用蓄電池１４ａとの間には、これら蓄電池システム１１，１２と車両用蓄電池１４ａとを接続する図示しない電線が設けられているものとする。
【００３５】
前記車両１４は、住宅の敷地内の駐車場に駐車されるものであり、駐車場には前記充電機器２７が設置されている。
この充電機器２７は、前記ホームエネルギーマネージメントシステム２０に組み込まれており、前記表示装置２３によって車両１４の充電状態の確認や充電開始・停止等の制御を行うことができる。また、この充電機器２７の電源は前記分電盤２２とされている。
【００３６】
＜蓄電池の設置構造＞
次に、以上のようなホームエネルギーマネージメントシステム２０における前記蓄電池システム１１（１２）の設置構造について説明する。
なお、本実施の形態における蓄電池システム１１（１２）が、本発明の蓄電池１１（１２）に相当し、本実施の形態における蓄電池本体１１ｂ（１２ｂ）が、本発明の蓄電池バッテリー１１ｂ（１２ｂ）に相当する。以下の説明においては、上述の電力システムの実施例１に即し、蓄電池システム１１、蓄電池本体１１ｂと称するものとする。
【００３７】
本実施の形態の蓄電池システム１１の設置構造は、図１〜図４に示すように、住宅等の建物２１内に蓄電池システム１１が設置されてなる。
また、前記蓄電池システム１１は、上下複数段に積載可能に構成された前記蓄電池本体１１ｂを備える。
また、前記建物２１内には、床４３ａ上であって、かつ建物２１内の居室２１ａと同等の環境に設定された前記蓄電池設置用の宅内設置部４３が設けられている。
また、前記宅内設置部４３は、前記蓄電池本体１１ｂを上下方向に複数段積載可能な高さで、かつ前記蓄電池システム１１を複数列並設可能な面積に設定されており、前記宅内設置部４３の外壁４３ｃには、前記蓄電池システム１１から発生するガスを検知するガスセンサー４４ａに接続された換気装置４４が設けられている。
【００３８】
前記建物２１は、上述のように、壁、床および天井等によって複数のエリア（例えば、居間、台所、食堂、浴室、玄関、便所、寝室、和室、洋室、廊下、階段室、庭、駐車場等）に区画されている。
本実施の形態においては、図１に示すように、建物２１の２階に居室２１ａと、蔵型収納室２１ｂとが配置されている。
また、前記床４３ａは建物２１の２階の床を指しており、前記外壁４３ｃは建物２１の外壁のうち、前記蔵型収納室２１ｂ部分の外壁を指している。
【００３９】
前記居室２１ａは、車庫や納屋など屋外と同環境な場所ではなく、洗面所や脱衣所など湿度の高い場所ではなく、屋根裏や何度、押入れなどの密閉空間で夏場の温度上昇の可能性のある場所ではなく、台所など油蒸気が存在する場所ではなく、あくまで居住者が普段いる場所であり、例えば建物２１内の居間や寝室、子供部屋などを指している。
【００４０】
また、前記蔵型収納室２１ｂは、前記建物２１内に大型収納区画を形成するためのものであり、前記建物２１内の床４３ａと、当該床４３ａの一部の上方に設けられた中間床４３ｂとの間が、当該蔵型収納室２１ｂとされている。
また、蔵型収納室２１ｂは、前記居室２１ａと隣接配置され、前記宅内設置部４３を含んで構成されている。
【００４１】
さらに、本実施の形態の蔵型収納室２１ｂの天井高は０．８ｍ〜１．４ｍの範囲で適宜変更可能である。この０．８ｍ〜１．４ｍの天井高とは、人が前記蔵型収納室２１ｂに入って、何とか作業ができる最低限の高さを確保するための高さ範囲であり、かつ、このように天井高を必要最小限に抑えることで、建物２１の高さが高くなることによって隣接する建物に及ぼす日照減少等の影響を極力少なくすることができる高さ範囲である。
また、蔵型収納室２１ｂの出入口は、前記居室２１ａ側の壁に設けられており、物品の収納や、前記蓄電池システム１１の設置の際は、この出入口が使用される。
【００４２】
前記換気装置４４は、いわゆる換気扇であり、前記外壁４３ｃに形成された専用の開口部に設置されている。この換気装置４４は稼働することで、前記蔵型収納室２１ｂ内から外部へと排気できるように構成されている。
また、前記ガスセンサー４４ａは、前記表示装置２３を介して前記換気装置４４に接続されている。ガスセンサー４４ａは、前記蓄電池システム１１からの発生ガスを検知したら即座に前記表示装置２３へと信号を送る。そして、前記表示装置２３は前記換気装置４４へと稼働を指示する信号を即座に送り、換気装置４４を稼働させる設定となっている。
なお、発生ガスの種類と割合は、ＣＯ２＝９０％、ＣＯ＝９％、ＣＨ３＝１％となっている。このような発生ガスは、前記換気装置４４によって換気できればよい。
【００４３】
前記宅内設置部４３は、前記蔵型収納室２１ｂ内スペースの一画を指しており、上述のように前記蓄電池本体１１ｂを上下方向に複数段積載可能な高さで、かつ前記蓄電池システム１１を複数列並設可能な面積に設定されている。
前記蓄電池本体１１ｂを上下方向に複数段積載可能な高さとは、前記蔵型収納室２１ｂの高さ０．８ｍ〜１．４ｍの範囲である。さらに、前記蓄電池システム１１を複数列並設可能な面積とは、前記蓄電池システム１１を並べて設置した際の幅方向の長さおよび奥行き方向の長さから求められる数値である。
なお、筺体の大きさ等も考慮に入れることが望ましい。
【００４４】
また、この宅内設置部４３には、前記蓄電池システム１１を支持する支持台４６が設置されている。この支持台４６は前記宅内設置部４３の面積内に納まるように設定されている。さらに、この支持台４６の高さも、前記蓄電池システム１１の高さと前記蔵型収納室２１ｂの高さを考慮したものとなっている。
また、前記蓄電池システム１１を複数列並設する際には、前記支持台４６も、前記宅内設置部４３に複数並設される。
なお、前記支持台４６は、図４に示すように脚４６ａが取り付けられており、前記蓄電池システム１１と床４３ａとの間に隙間を形成できるようにしてもよい。
また、前記支持台４６が固定される部位（すなわち、前記床４３ａ）の下面側には、この支持台４６や前記蓄電池システム１１自体を強固に設置固定するための下地材等を設けるようにしてもよい。
【００４５】
前記蓄電池システム１１は、図３および図４に示すように、上下複数段に積載された前記蓄電池本体１１ｂと、前記蓄電池本体１１ｂと宅内の分電盤２２（１３）との間に接続され、直流電力と交流電力との双方向の変換を行う双方向インバータ１１ｃと、を有する。
本実施の形態の双方向インバータ１１ｃは、前記蓄電池システム１１とは別体のものとして、前記蔵型収納室２１ｂ内の壁に取付固定されている。
ただし、この双方向インバータ１１ｃは、前記蓄電池本体１１ｂと上下に積載可能に構成されている。したがって、図４に示すように、前記蓄電池本体１１ｂとともに複数段に積載してもよいものとする。
【００４６】
前記蓄電池本体１１ｂは、直方体状に形成されており、複数段に積載しやすくなっている。前記双方向インバータ１１ｃも、前記蓄電池本体１１ｂと上下に積載することを考慮し、直方体状に形成されている。
【００４７】
すなわち、前記蓄電池システム１１は、小容量の単電池を、まずは上下方向に積載することによって構成されており、宅内設置部４３の高さ（天井高）に応じて複数列に並べて設置される。
【００４８】
蓄電池システム１１は、図４に示すように、前記支持台４６上に前記蓄電池本体１１ｂ…が複数段積載され、その上に前記双方向インバータ１１ｃが積載され、さらにその上に天板４７が積載されるようにしてもよい。
また、このように上下方向に積載された各部材を覆うようにして前記筺体が設けられるようになっている。
【００４９】
なお、以上のような蓄電池システム１１を建物２１内に設置する際に考慮すべき事項としては、例えば以下のものが挙げられる。
すなわち、前記筺体を金属筺体とし、Ｄ種接地工事を行う。
また、地震等による前記蓄電池システム１１の転倒を防ぐために、建物２１自体に地震対策を施す。設置階を１階とする場合は、前記支持台４６や前記蓄電池システム１１自体を固定するための基礎を立ち上げ、この基礎に対して前記支持台４６や前記蓄電池システム１１自体を固定する。
また、蓄電池システム１１の絶縁対策として、ポリカーボネートで前記蓄電池本体１１ｂを覆う。
【００５０】
なお、本実施の形態においては、説明の便宜上、前記蓄電池システム１１を例に挙げて説明したが、これに限られるものではなく、前記蓄電池システム１２を採用してもよいものとする。
【００５１】
以上のような本実施の形態によれば、前記宅内設置部４３が、前記床４３ａ上に設けられているので、豪雨や台風等による床下浸水が引き起こされた場合であっても、前記蓄電池１１が被水することを防ぐことができる。
また、前記宅内設置部４３は、前記居室２１ａと同等の環境に設定されているので、例えば湿度の高い洗面所や、屋根裏のような夏場の温度上昇可能性のある場所に比して良好な環境の中に前記蓄電池１１を設置することができる。これによって、設置環境に起因するトラブルが生じにくくなる。
また、前記蓄電池１１は、上下複数段に積載可能に構成された蓄電池バッテリー１１ｂを備えるので、当該蓄電池バッテリー１１ｂを横に並べて設置する場合に比して、省スペース化を図ることができる。さらに、前記宅内設置部４３も、このような蓄電池１１に対応した大きさに設定されているので、前記宅内設置部４３を建物２１内に設置する場合にも、省スペース化を図ることができる。
また、前記宅内設置部４３の外壁４３ｃには、前記蓄電池１１から発生するガスを検知するガスセンサー４４ａに接続された換気装置４４が設けられているので、万が一、前記蓄電池１１から発生ガスが生じたとしても、前記ガスセンサー４４ａで検知し、前記換気装置４４によって発生ガスを拡散できるので、前記蓄電池１１を前記建物２１内に安全に設置できる。
【００５２】
また、前記蔵型収納室２１ｂを利用して前記宅内設置部４３を配置できるので、前記居室２１ａ等の建物２１内の各部屋のスペースを狭める必要がなく、省スペース化を図ることができる。
【００５３】
また、前記蔵型収納室２１ｂは、前記建物２１の上階に配置されているので、上階の蔵型収納室２１ｂ内の前記宅内設置部４３に設置される蓄電池１１は、たとえ下階の床上まで浸水があった場合であっても被水することを防ぐことができる。
【００５４】
また、前記双方向インバータ１１ｃは、前記蓄電池バッテリー１１ｂと上下に積載可能に構成されているので、前記蓄電池バッテリー１１ｂとともに上下に積載することで、前記双方向インバータ１１ｃ用の設置スペースを確保する必要がなくなり、建物２１内の省スペース化を図ることができる。
【符号の説明】
【００５５】
１０  太陽電池アレイ
１０ａ  パワーコンディショナー
１１  蓄電池システム
１１ａ  コンバータ
１１ｂ  蓄電池本体
１１ｃ  双方向インバータ
１２  蓄電池システム
１２ｂ  蓄電池本体
１２ｃ  双方向インバータ
１３  重要負荷分電盤
１４  車両
１４ａ  車両用蓄電池
２０  ホームエネルギーマネージメントシステム
２１  建物
２１ａ  居室
２１ｂ  蔵型収納室
２２  分電盤
２３  表示装置
４３  宅内設置部
４３ａ  床
４３ｂ  中間床
４３ｃ  外壁
４４  換気装置
４４ａ  ガスセンサー
【図１】
2014189945.tif 000003
【図２】
2014189945.tif 000004
【図３】
2014189945.tif 000005
【図４】
2014189945.tif 000006
【図５】
2014189945.tif 000007